(57)【要約】      （修正有）【課題】吸音遮音特性を有する軽量建材構造物を開示している。構造物は、周囲環境で発生する音を吸収するための複数の吸音厚板と、吸音厚板を壁または天井の所定の収容スペースに固定する複数の固定モジュールを含む。【解決手段】複数の吸音用吸音厚板と、吸音厚板を壁または天井の所定の収容スペースに固定する複数の固定モジュールを備える、吸音遮音特性を有する軽量建材構造物を開示する。複数の吸音厚板の寸法は、建造物の壁と天井との間の所定の収容スペースに合わせて異なり、複数の吸音厚板が、複数の固定モジュールによって壁または天井に形成される。【選択図】図３
0003121922.tif 000002
【実用新案登録請求の範囲】
【請求項１】
吸音遮音特性を備える軽量建築材料であって、
パネル、グリッドプレートおよび充填剤を含み、前記パネルは前記グリッドプレートの下面に取付けられ、前記充填剤を前記パネルまたは前記グリッドプレートに充填する、吸音用の複数の吸音厚板と、
前記吸音厚板を壁または天井の所定の収容スペースに固定するための複数の固定モジュールを備え、
前記複数の吸音厚板は、建造物の壁および天井の間の前記収容スペースに合わせて様々な寸法を有し、前記複数の吸音厚板は、前記複数の固定モジュールによって壁または天井に形成する、軽量建材構造物。
【請求項２】
前記パネルの材料は、アルミニウム板、ステンレス鋼板、亜鉛メッキを施した鉄板およびプラスチックプレートからなる群から選択される、請求項１に記載の構造物。
【請求項３】
前記パネルは、四角形に形成され、複数の穴が形成され、粉末焼付ワニスで覆われている、請求項２に記載の構造物。
【請求項４】
前記グリッドプレートは、四角形、ひし形または波形を含む様々な形状の複数の孔を有する、請求項１に記載の構造物。
【請求項５】
前記グリッドプレートの材料は、紙、木材またはプラスチックである、請求項１に記載の構造物。
【請求項６】
前記充填剤が、吹付け剤とセメント剤の混合物、または天然ファイバ、紙ファイバ、グラスファイバ、ミネラルファイバ、ロックウールファイバおよびセラミックファイバの一つと前記セメント剤との組み合わせである、請求項１に記載の構造物。
【請求項７】
前記固定モジュールは、様々な形状を有する複数の長尺補強フレームと、複数のサスペンダーまたは複数の締結具であり、前記長尺補強フレームを、前記締結具によって壁に取り付けるか、又は前記サスペンダーおよび前記締結具によって天井の下に取り付けることができる、請求項１に記載の構造物。
【請求項８】
前記締結具は、前記吸音厚板を前記壁にしっかりと固定するために、前記隣り合う様々な形状の長尺補強フレームをしっかりと固定するための複数のねじである、請求項７に記載の構造物。
【請求項９】
前記複数の長尺補強フレームの各々は複数の穴を有し、前記隣り合う長尺補強フレームが前記穴を介して前記吸音厚板に固定されることにより、前記吸音厚板が前記ねじによって壁にしっかりと固定されるようになる、請求項７に記載の構造物。
【請求項１０】
前記複数のサスペンダーは、天井の所定の収容スペースの前記吸音厚板に取り付けるための異なる形状を有する前記長尺補強フレームをしっかりと固定するのに用いられる、請求項７に記載の構造物。
【考案の詳細な説明】
【技術分野】
【０００１】
本考案は、吸音構造を有する建造物に関する。より詳しくは、本考案は吸音効果を有する軽量建材構造物に関する。
【背景技術】
【０００２】
一般的に、人間の生活は、あらゆる場所、あらゆる時間において常に騒音の影響を受けている。人間社会が文明化するほど質の高い生活が求められる。長時間騒音の中にいると、人間の健康や精神の妨げとなる。騒音によって聞き取りづらくなるだけでなく、つまらない気分や無駄な作業をも招くであろう。人は騒音に対して神経質になり、内分泌かく乱作用の危険にさえ曝されるであろう。よって、人は日々の騒音問題および建材の改善に多大な注意を払う必要がある。
【０００３】
吸音材によって吸収された音エネルギーの一部は、熱エネルギーに変換されることにより、吸収の目的を達成する。吸音材は一般的には多孔質である。音波は建材の孔に入り込む。構造物は多重反射を起こし、音波は吸収特性を有する材料の表面と相互に作用しあい、その結果、音エネルギーのほとんどは熱エネルギーに変換されることにより消費され、この材料が音エネルギーを減少させる。
【０００４】
一般的に、騒音を減じる吸収特性を有する建築材料の製造技術においては、その方法は下記のような不利益を有する。即ち、（１）工事現場で実行するのに向かない、さらに機械を用いて運搬するのが困難である。（２）粉を含む埃が極端に多く、周囲の環境が粉によって汚染されやすい。（３）吹付け工程後の処理表面が乱雑で、でこぼこになる。（４）処理表面が湿気で剥がれ落ちる。（５）処理表面は吹付け工程後に拭い去るのは困難である。（６）表面に埃が付着すると吸音効果が低下し、埃を拭い去るのが困難である。（７）工事現場で吹付け工程を行う前には、すべての工程を停止しなければならない。
【０００５】
さらに、吸収材は、一般的には、剛性や遮音性能が高い鋼板またはセメントおよびアスベスト板である。遮音材はぴったり配設され、音源から隔絶すべく空間を形成する。遮音特性を有するこれらの材料は、音波動が材料内に伝わるのを防止するために、梁のようなフレーム間の幅広で厚めの耐震ゴム中に取り付けられる。
【０００６】
しかしながら、波動遮断用耐震ゴムや遮音鋼板がこれらのフレームには欠かせないので、取付け設計費用は高額になり、取付け部品の量は膨大になる。したがって、これらの遮音構造物は、容積が大きくなり、より広い空間を占有することになり、さまざまな寸法の空間に適合するように寸法づけることは困難である。
【０００７】
上述の通り、本考案は、これらの不都合を解決すべく、吸音遮音特性を有する軽量建材構造物を提供する。
【考案の開示】
【考案が解決しようとする課題】
【０００８】
本明細書においては、本考案の好ましい実施形態を記述する。しかしながら、本考案はこれらの詳細な記述以外の他の実施例においても広く実施可能であることは理解されよう。本考案の範囲はこれらの実施例に制限されるものではなく、以下の実用新案登録請求の範囲に従うものとする。
【０００９】
本考案の目的の一つは、周囲環境の防音・遮音のための吸音遮音特性を有する軽量建材構造物を提供することである。この構造物は、音質を改善させるべく、広い場所でのエコーや残響の問題を解決するために用いられる。
【００１０】
本考案の他の目的は、材料の重量を減じるための吸音遮音特性を有する軽量建材構造物を提供することである。
【００１１】
本考案のさらなる他の目的は、建造物の大量生産や寸法付けを容易にするために吸音防振特性を有する軽量建材構造物を提供することである。
【００１２】
本考案のさらなる目的は、取付け後に耐火機能を有する吸音遮音特性を有する軽量建材構造物を提供することである。
【課題を解決するための手段】
【００１３】
本考案は、複数の吸音用吸音厚板と、吸音厚板を壁または天井の所定の収容スペースに固定する複数の固定モジュールを備える、吸音遮音特性を有する軽量建材構造物を開示する。複数の吸音厚板の寸法は、建造物の壁と天井との間の所定の収容スペースに合わせて異なり、複数の吸音厚板が、複数の固定モジュールによって壁または天井に形成される。
【００１４】
吸音厚板は、パネル、グリッドプレートおよび充填剤を含む。グリッドプレートの材料は、紙を含む。グリッドプレートの孔は、空洞で該プレートを貫通している。パネルはグリッドプレートと結合し、充填剤はパネルまたはグリッドプレートに充填され、吸音厚板を形成する。
【００１５】
固定モジュールは、複数の長尺補強フレーム、複数のサスペンダーおよび複数の締結具を含む。複数の長尺補強フレームは、隣り合う様々な形状の長尺補強フレームをしっかりと固定するために用いられる。
【００１６】
締結具にはねじ等があるが、これには限定されない。隣り合う様々な形状の長尺補強フレームをねじでしっかりと固定し、吸音厚板を壁にしっかりと固定できるようにする。
【００１７】
様々な形状の長尺補強フレームは複数の穴を有し、ねじを用いて吸音厚板を壁にしっかりと固定する。
【００１８】
サスペンダーは、天井の所定の収容スペース内に取り付けるための様々な形状を有する長尺補強フレームと連結するのに使用することができる。
【００１９】
本考案は、周囲の環境音を吸収するための複数の吸音厚板と、該吸音厚板を壁または天井の所定の収容スペースに連結および固定または形成するための複数の固定モジュールを備え、吸音遮音特性を有する軽量建材構造物を開示している。複数の吸音厚板は、建造物の壁や天井の間の所定の収容スペースに合わせた様々な寸法であり、複数の固定モジュールによって壁または天井に形成される。
【００２０】
吸音厚板は、パネル、グリッドプレートおよび充填剤を含む。グリッドプレートの材料としては、プラスチックおよび木材がある。グリッドプレートの孔は空洞で該プレートを貫通している。パネルは、グリッドプレートと結合し、パネルまたはグリッドプレートに充填剤を充填して、吸音厚板を形成する。
【００２１】
固定モジュールは、複数の長尺補強フレーム、複数のサスペンダーおよび複数の締結具を含む。複数の長尺補強フレームは、隣り合う様々な形状の長尺補強フレームをしっかりと固定するために用いられる。
【００２２】
締結具はねじ等を含むが、これらに限定されない。隣り合う様々な形状の長尺補強フレームをねじでしっかりと固定し、吸音厚板を壁にしっかりと固定できるようにする。
【００２３】
様々な形状の長尺補強フレームは複数の穴を有し、ねじを用いて吸音厚板を壁にしっかりと固定する。
【００２４】
サスペンダーは、様々な形状を有する長尺補強フレームと連結して、天井の所定の収容スペース内に取り付けるのに用いられ得る。
【考案の効果】
【００２５】
本考案の上記の特徴およびそれに付随する効果の多くは、添付の図面とあわせて下記の詳細な説明を参照しつつ本発明の理解が進むにつれて、さらに解釈が容易になるであろう。
【００２６】
さらに、本考案の効果を以下に示す。（１）構造物は、建設現場で容易かつ都合よく組み合わせることができ、公害問題も解消する。（２）処理面は滑らかでカラフルである。（３）材料は、湿気を含まず、剥がれにくく、掃除がしやすい。（４）モジュラー構造は、要求条件に応じて発注でき、寸法付けするのが容易である。（５）建設現場で作業を停止することなく吹付け作業を行うことができる。（６）材料は、吸音特性を有し、遮音性能を高める。（７）材料は生産が容易でコストを抑えることができる。（８）本発明は騒音を減じるためにあらゆる場所で実施することができる。（９）本発明に基づく建材は、剛性に優れ、組み合わせが容易で、再生でき、立派であり、防火・吸収・防虫・熱遮断および環境保護に優れている。
【考案を実施するための最良の形態】
【００２７】
本考案は、吸音遮音特性を有する軽量建材構造物を開示し、下記に説明する。下記の記述を参照するにあたって、記述は、本考案の好ましい実施形態の例示のみを目的とし、本考案を限定するものではない。
【００２８】
図１は、本考案の吸音遮音特性を有する軽量建材構造物の略図である。構造物１０は、複数の吸音厚板１１と複数の固定モジュール１２，１３，１４および１５を含む。「吸音厚板」という用語は、吸音および／または遮音に用いられる厚板を意味する。よって、吸音厚板１１は、周囲環境から発生する音を吸収する機能を有する。図２および３を参照するに、吸音厚板２０はパネル２３、グリッドプレート２１および充填剤２２を含み、充填剤２２はグリッドプレート２１またはパネル２３に充填され得る。吸音厚板２０は、グリッドプレート２１と結合されたパネル２３を含む。
【００２９】
好ましい実施形態の一つにおいて、パネル２３の材料としては、アルミニウム板、ステンレス鋼板、亜鉛被覆した鉄板又はプラスチックプレートが挙げられる。パネル２３は、四角形に形成され、複数の穴を有し、粉末焼付ワニスで覆われている。
【００３０】
好ましい実施形態の一つにおいて、グリッドプレート２１の材料は、紙を含む。グリッドプレート２１にはスルーホールが形成されている。例えば、グリッドプレート２１は、四角形、ひし形、波形等を含む様々な形の複数の孔を有する。他の好ましい実施形態において、複数の孔の寸法は３センチから６センチの間の範囲である。
【００３１】
好ましい実施形態の一つにおいて、グリッドプレート２１の材料は、プラスチックおよび木材を含む。
【００３２】
他の好ましい実施形態において、パネル２３は、粉末焼付ワニスで覆われ、そして複数の孔が設けられている。粉末焼付ワニスは吸音厚板の遮音機能特性を高めるために用いられ、孔は充填剤によって騒音を吸音・遮音するために採用されている。
【００３３】
例えば、パネル２３の材料としては、アルミニウム板、ステンレス鋼板、亜鉛で被覆した鉄板またはプラスチックプレートが挙げられるが、これらに限定されない。さらに、パネル２３の形状としては、複数の格子細工を伴う四角形のパネルが挙げられるが、これに限定されない。格子細工は充填剤２２によって周囲環境のノイズを吸収するために用いられる。
【００３４】
さらに、図３は充填剤２２を充填したグリッドプレート２１の略図である。実施形態の一つにおいて、充填剤２２として、吹付け剤とセメント剤との混合物またはセメント剤と混合した天然ファイバ、紙ファイバ、グラスファイバ、鉱物繊維、ロックウールファイバおよびセラミックファイバが挙げられるが、これらに限定されない。
【００３５】
実施形態の一つにおいて、充填剤２２としては、新聞紙、段ボール紙および雑誌等の再生紙のようなファイバー製品が挙げられる。さらに、本考案が、吸音、防火、防虫および環境保護機能を有するように、防火剤、撥水剤および防虫・防かび試薬が処理過程において充填剤に加えられてもよい。
【００３６】
固定モジュール１２，１３，１４および１５は、異なる形状を有する複数の長尺補強フレーム、複数のサスペンダーおよび複数の締結具を有するが、これらに限定されない。実施形態の一つでは、長尺補強フレームを締結具によって壁に取り付け、またはサスペンダーおよび締結具によって天井の下に取り付けることができる。
【００３７】
図４は、吸音厚板３９を壁３７にしっかりと固定するための、本発明による固定モジュール１２の略図である。長尺補強フレームの形状としては、図８ｅ，８ａ，８ｄおよび８ｂに示すようなＣ型３４、四角型４８、Ｈ型３５または第一の溝型長尺補強フレーム３６が挙げられる。例えば、締結具としては、ねじ３０，３１および３２が挙げられるが、これらに限定されない。Ｈ型長尺補強フレーム３５は、ねじ３０および３２によって、ねじ穴を介して壁３７にしっかりと固定され、Ｃ型長尺補強フレーム３４は、Ｈ型長尺補強フレーム３５の下にしっかりと固定され、四角型長尺補強フレーム４８はＨ型長尺補強フレーム３５の上にしっかりと固定される。第一の溝型長尺補強フレーム３６は四角型長尺補強フレーム４８に取り付けられ、一方で、Ｃ型、Ｈ型および四角型の長尺補強フレーム３４，３５および４８の位置がしっかりと固定され得る。第一の溝型長尺補強フレーム３６は、ねじ３２によって、ねじ穴を介して四角型長尺補強フレーム４８にしっかりと固定されるので、吸音厚板３９は固定モジュール１２によって取り付けられ、壁３７にしっかりと固定される。
【００３８】
Ｃ型、Ｈ型、四角型および第一の溝型の長尺補強フレーム３４，３５，４８および３６は、おのおの、スカート型化粧骨材、化粧骨材フレーム、固定骨材および壁面の上と下に水平に固定されたフレームである。
【００３９】
実施形態の一つにおいて、Ｃ型長尺補強フレーム３４は、図８ｅに示すように断面がＣ型をしているため、そう名づけられている。Ｈ型長尺補強フレーム３５は、図８ｄに示すように断面がＨ型で、固定用の２枚のフィンが両側に向いているため、そう名づけられている。四角型長尺補強フレーム４８は、図８ａに示すように断面が筒形のような四角型であるため、そう名づけられている。第一の溝型長尺補強フレーム３６は、図８ｂに示すように断面は四角型であるが、溝が施されており、フレームの本体の反対側の面に２つの平行なフィンを有しているため、そう名づけられている。
【００４０】
図５は、隣り合う吸音厚板を壁４５にしっかりと固定するために用いられる、本発明による固定モジュール１３の略図である。異なる形状を有する長尺補強フレームとしては、図８ｄ，８ａおよび８ｂに示すようなＨ型、四角型および第一の溝型の長尺補強フレーム３５，４８および３６がある。例えば、締結具としては、ねじ４０，４１，４２および４３が挙げられるが、これらに限定されない。ねじ４０および４１は、ねじ穴を介して壁４５にしっかりと固定される。四角型長尺補強フレーム４８はＨ型長尺補強フレーム３５にねじ４３によってしっかりと固定され、第一の溝型長尺補強フレーム３６はねじ穴を介して、ねじ４２によって四角型長尺補強フレーム４８に取り付けられる。Ｈ型、四角型および第一の溝型長尺補強フレーム３５，４８，３６は、壁４５のフレーム３５，４８および３６にねじ４０，４１，４２および４３によってしっかりと固定されているので、吸音厚板４６および４７は壁４５に取り付けられ、しっかりと固定される。
【００４１】
四角型、Ｈ型および第一の溝型長尺補強フレーム３５，４８および３６は、おのおの、化粧骨材フレーム、固定骨材および壁面の上および下に水平に固定されたフレームであり、グリッドプレート用化粧骨材である。
【００４２】
図６は隣り合う吸音厚板を壁４９にしっかりと固定するために用いられる、本発明による固定モジュール１４の略図である。異なる形状を有する長尺補強フレームとしては、図８ｄ，８ａおよび８ｃに示されるようなＨ型、四角型および第二の溝型の長尺補強フレーム３５，４８および５５がある。例示として、締結具としてはねじ５０，５１，５２および５３が挙げられるが、これらに限定されない。Ｈ型長尺補強フレーム３５は、ねじ５０および５１によって、各ねじ穴を介して壁４９にしっかりと固定される。四角型長尺補強フレーム４８は、ねじ５２によってＨ型長尺補強フレーム３５としっかり固定され、第二の溝型長尺補強フレーム５５は、ねじ５３によって四角型長尺補強フレーム４８に取り付けられる。第二の溝型長尺補強フレーム５５の一方の端部を、ねじ５４によって他の四角型長尺補強フレーム４８にしっかりと固定する。その結果、Ｈ型、四角型、および第二の溝型の長尺補強フレーム３５，４８および５５は、ねじ５０，５１，５２，５３および５４によってフレーム３５，４８および５５にしっかりと固定され、続いて、吸音厚板の一方の端部が壁４９に取り付けられ、吸音厚板のもう一方の端部が天井下に取り付けられる。このようにして、吸音厚板４６および４７を天井の所定の収容スペースに取り付けしっかりと固定する。
【００４３】
第二の長尺補強フレーム５５は、天井と壁の表面用のスカート型化粧骨材である。サスペンダー６１は連結・固定に用いられ、ねじ、リベットおよび、ねじ、リベットおよび締結具の組み合わせを含むが、これらに限定されない。
【００４４】
実施形態の一つにおいて、第二の溝型長尺補強フレーム５５は、図８ｃに示されるように、２本の第一の溝型長尺補強フレーム３６の一方の端部を連結することによって形成し、２本のフレームは９０度の角度で互いに直交している。第二の溝型長尺補強フレーム５５は、おのおのが溝を有する２本の四角型フレームを有する断面を有し、２本の平行なフィンがおのおの四角型フレームに取付けられている。
【００４５】
図７は、隣り合う吸音厚板を天井の下にしっかりと固定するための、本発明による固定モジュール１５の略図である。異なる形状を有する長尺補強フレームには、図８ａおよび８ｂに示されるような、四角型や第一の溝型長尺補強フレーム４８，３６がある。例えば、締結具としてはねじ５８が挙げられるが、これに限定されない。四角型および第一の溝型の長尺補強フレーム４８および３６を、ねじ穴を介してねじ５８によってしっかりと固定し、サスペンダー６１によって天井の下に連結し、取り付ける。その結果、吸音厚板５９および６０は天井の所定の収容スペース内に取り付けられ、しっかりと固定される。
【００４６】
概して、本考案の特徴の一つは、吸音遮音特性を有する軽量建材構造物を提供することであり、吸音厚板を固定モジュールによって、壁または天井の所定の収容スペースにしっかりと固定し、取り付ける。吸音厚板の寸法は、天井の所定の収容スペースの寸法に合わせて異なり、固定モジュールを用いることにより、壁や天井の所定の収容スペースに組み合わせて取り付けることができる。さらに、本考案によれば、建材の重量を減じ、生産を容易にし、使用目的にあった寸法にすることができるので、構造物は飛躍的に品質が優れ、いっそう向上する。
【００４７】
本考案についての上述の好ましい実施形態は、本考案を限定するものというよりは、本考案の例示であることは、当業者であれば理解されよう。好ましい実施形態に合わせて本考案を記載してきたが、当業者であれば、変更を思いつくであろう。よって、本考案はここに記載の実施形態に限定されるべきではない。むしろ、本考案は添付の請求項の意図および範囲に含まれる様々な変更および類似の設備をもその範囲内に収めることを意図しており、添付の請求項の範囲は、このような変更および類似の設備をすべて範疇に収めるべく最も広い解釈に合わせるべきである。
【産業上の利用可能性】
【００４８】
このようにして、本考案に基づく軽量建材構造物は、様々なモーター室、メンテナンス工場、映画館、コンファレンスホール、フィルムスタジオ、図書館、輸送ステーション、病院、体育館、コミュニティセンター等、様々な建造物および建物に適用することができる。
【図面の簡単な説明】
【００４９】
【図１】本考案による吸音遮音特性を有する軽量建材構造物の略図である。
【図２】本考案による吸音厚板のパネルおよびグリッドプレートの略図である。
【図３】本考案による吸音厚板のパネル、グリッドプレートおよび充填剤の略図である。
【図４】壁の吸音厚板にしっかりと固定された本考案による固定モジュールの略図である。
【図５】壁の隣り合う吸音厚板にしっかりと固定された本考案による固定モジュールの略図である。
【図６】壁や天井の下の隣り合う吸音厚板にしっかりと固定された本考案による固定モジュールの略図である。
【図７】天井の下の隣り合う吸音厚板にしっかりと固定された本考案による固定モジュールの略図である。
【図８】（ａ）〜（ｅ）本考案による長尺補強フレームの例を示す略図である。
【図１】
0003121922.tif 000003
【図２】
0003121922.tif 000004
【図３】
0003121922.tif 000005
【図４】
0003121922.tif 000006
【図５】
0003121922.tif 000007
【図６】
0003121922.tif 000008
【図７】
0003121922.tif 000009
【図８】
0003121922.tif 000010